(57)【特許請求の範囲】
【請求項１】
１次巻線と２次巻線と３次巻線とを有するトランスと、
交流電力を直流電力に変換する１次側整流回路と、
前記１次側整流回路の直流電力を平滑化する１次側電解コンデンサと、
前記トランスの２次巻線が出力する交流電力を直流電力に変換する２次側整流回路と、
前記２次側整流回路が出力する直流電力を平滑化する２次側電解コンデンサと、
前記１次側電解コンデンサの電圧を入力する前記トランスの１次巻線の開閉を繰り返すスイッチング回路と、
前記スイッチング回路の開閉を制御する駆動信号のパルス幅を制御するパルス幅制御回路と、
コンデンサと抵抗を具備し、前記コンデンサによって直流分が除去された電圧を前記抵抗によって所定の値に分圧した電圧によって前記１次側電解コンデンサの劣化を検知する１次側電解コンデンサ劣化検知回路と、
前記１次側電解コンデンサ劣化検知回路の劣化検出信号を入力する停止信号発生回路と、
前記１次側整流回路と前記１次側電解コンデンサとの間に、電源投入時の前記１次側電解コンデンサ劣化検知回路による前記１次側電解コンデンサの劣化の誤検出を防止する誤検知防止回路と、
を備え、
前記誤検知防止回路は、
前記１次側整流回路の第１直流出力端子と前記１次側電解コンデンサの１次側直流端子との間に接続された第１抵抗と、
前記第１直流出力端子に一端を接続された第２抵抗と、
当該第２抵抗の他端と、前記１次側電解コンデンサの１次側アースとの間に接続された第３抵抗と、
前記第２抵抗の他端と、前記１次側電解コンデンサの１次側アースとの間に接続されたコンデンサと、
アノードが前記第１直流出力端子に接続され、カソードが前記１次側直流端子に接続され、ゲートが前記第２抵抗と前記コンデンサの接続点に接続されたサイリスタと、
を備えて構成され、
前記１次側電解コンデンサ劣化検知回路は前記１次側電解コンデンサの電圧を入力し、
前記１次側電解コンデンサ劣化検知回路の劣化検出信号で前記停止信号発生回路が停止信号を発生することによって、前記パルス幅制御回路から前記スイッチング回路への駆動信号の供給が停止されることによりスイッチング電源回路の動作を止めることを特徴とする保護機能付きスイッチング電源回路。
【請求項２】
１次巻線と２次巻線と３次巻線とを有するトランスと、
交流電力を直流電力に変換する１次側整流回路と、
前記１次側整流回路の直流電力を平滑化する１次側電解コンデンサと、
前記トランスの２次巻線が出力する交流電力を直流電力に変換する２次側整流回路と、
前記２次側整流回路が出力する直流電力を平滑化する２次側電解コンデンサと、
前記１次側電解コンデンサの電圧を入力する前記トランスの１次巻線の開閉を繰り返すスイッチング回路と、
前記スイッチング回路の開閉を制御する駆動信号のパルス幅を制御するパルス幅制御回路と、
絶縁トランスを有せず前記１次側電解コンデンサの劣化を検知する１次側電解コンデンサ劣化検知回路と、
前記１次側電解コンデンサ劣化検知回路の劣化検出信号を入力する停止信号発生回路と、
前記１次側整流回路と前記１次側電解コンデンサとの間に、電源投入時の前記１次側電解コンデンサ劣化検知回路による前記１次側電解コンデンサの劣化の誤検出を防止する誤検知防止回路と、
を備え、
前記誤検知防止回路は、
前記１次側整流回路の第１直流出力端子と前記１次側電解コンデンサの１次側直流端子との間に接続された第１抵抗と、
前記第１直流出力端子に一端を接続された第２抵抗と、
当該第２抵抗の他端と、前記１次側電解コンデンサの１次側アースとの間に接続された第３抵抗と、
前記第２抵抗の他端と、前記１次側電解コンデンサの１次側アースとの間に接続されたコンデンサと、
アノードが前記第１直流出力端子に接続され、カソードが前記１次側直流端子に接続され、ゲートが前記第２抵抗と前記コンデンサの接続点に接続されたサイリスタと、
を備えて構成され、
前記１次側電解コンデンサ劣化検知回路は前記１次側電解コンデンサの電圧を入力し、
前記１次側電解コンデンサ劣化検知回路の劣化検出信号で前記停止信号発生回路が停止信号を発生することによって、前記パルス幅制御回路から前記スイッチング回路への駆動信号の供給が停止されることによりスイッチング電源回路の動作を止めることを特徴とする保護機能付きスイッチング電源回路。
【請求項３】
前記停止信号発生回路の出力端子が前記スイッチング回路の制御入力端子に接続され、前記停止信号発生回路から停止信号が出力されることによって、前記パルス幅制御回路から前記スイッチング回路へ出力される駆動信号が禁止されてスイッチング電源回路の動作を停止することを特徴とする請求項１または請求項２に記載の保護機能付きスイッチング電源回路。
【請求項４】
前記停止信号発生回路の出力端子が前記パルス幅制御回路の電源端子に接続され、前記停止信号発生回路から停止信号が出力されることによって、前記パルス幅制御回路への電源供給が停止されてスイッチング電源回路の動作を停止することを特徴とする請求項１または請求項２に記載の保護機能付きスイッチング電源回路。
【請求項５】
前記停止信号発生回路の出力端子が前記パルス幅制御回路の発振停止端子に接続され、前記停止信号発生回路の出力信号が概ね１次側アースと同電位になることによって、前記パルス幅制御回路の発振が停止し、前記スイッチング回路への駆動信号の供給が停止され、スイッチング電源回路の動作を停止することを特徴とする請求項１または請求項２に記載の保護機能付きスイッチング電源回路。
【請求項６】
請求項１乃至請求項５のいずれか一項に記載の保護機能付きスイッチング電源回路を備えたことを特徴とする電子機器。
【発明の詳細な説明】
【技術分野】
【０００１】
本発明は、スイッチング電源装置に備えられた平滑回路用の電解コンデンサの劣化を検出し、破損事故を未然に回避する技術に関する。
【背景技術】
【０００２】
スイッチング電源装置において、平滑回路に使用される電解コンデンサは、大電流の充放電の繰り返しや経年使用によって劣化が進む。そこで寿命を超えて使用し続けると電解コンデンサの劣化にともないスイッチング電源装置が破損し、場合によっては発煙、発火事故に至る危険性がある。
また、スイッチング電源回路における回路上の工夫によって、電解コンデンサの劣化を検知し、対処する技術も様々に検討されている。
特許文献１においては、トランスの２次側の巻線の両端の電圧の差分により、電解コンデンサの劣化にともなう等価直列抵抗（ＥＳＲ：Equivalent Series Resistance）の増大を検出し、フォトカプラ(Photo Coupler)を使用して１次側回路へフィードバックし検知する技術が開示されている。
【先行技術文献】
【特許文献】
【０００３】
【特許文献１】特開２０００−３２７４７号公報
【発明の概要】
【発明が解決しようとする課題】
【０００４】
しかしながら、電解コンデンサの劣化に伴うスイッチング電源装置の破損を事前に検出する対策は、必ずしも充分とはいえない問題があった。
また、特許文献１に開示された方法では、トランジスタを用いたリプル電圧検出回路とさらなるフォトカプラの追加などの回路変更が必要であり、コスト上昇と、この対策のために比較的大きなスペースを必要とする問題があった。
【０００５】
そこで本発明の目的は、簡単な回路を付加するだけで平滑回路の電解コンデンサの劣化を検知して、電解コンデンサの劣化からの破損事故を未然に回避する機能を備えた低コストのスイッチング電源装置を提供することである。
【課題を解決するための手段】
【０００６】
前記の課題を解決して、本発明の目的を達成するために、各発明を以下のような構成とした。
すなわち、本発明の保護機能付きスイッチング電源回路は、１次巻線と２次巻線と３次巻線とを有するトランスと、交流電力を直流電力に変換する１次側整流回路と、前記１次側整流回路の直流電力を平滑化する１次側電解コンデンサと、前記トランスの２次巻線が出力する交流電力を直流電力に変換する２次側整流回路と、前記２次側整流回路が出力する直流電力を平滑化する２次側電解コンデンサと、前記１次側電解コンデンサの電圧を入力する前記トランスの１次巻線の開閉を繰り返すスイッチング回路と、前記スイッチング回路の開閉を制御する駆動信号のパルス幅を制御するパルス幅制御回路と、コンデンサと抵抗を具備し、前記コンデンサによって直流分が除去された電圧を前記抵抗によって所定の値に分圧した電圧によって前記１次側電解コンデンサの劣化を検知する１次側電解コンデンサ劣化検知回路と、前記１次側電解コンデンサ劣化検知回路の劣化検出信号を入力する停止信号発生回路と、前記１次側整流回路と前記１次側電解コンデンサとの間に、電源投入時の前記１次側電解コンデンサ劣化検知回路による前記１次側電解コンデンサの劣化の誤検出を防止する誤検知防止回路と、を備え、前記誤検知防止回路は、前記１次側整流回路の第１直流出力端子と前記１次側電解コンデンサの１次側直流端子との間に接続された第１抵抗と、前記第１直流出力端子に一端を接続された第２抵抗と、当該第２抵抗の他端と、前記１次側電解コンデンサの１次側アースとの間に接続された第３抵抗と、前記第２抵抗の他端と、前記１次側電解コンデンサの１次側アースとの間に接続されたコンデンサと、アノードが前記第１直流出力端子に接続され、カソードが前記１次側直流端子に接続され、ゲートが前記第２抵抗と前記コンデンサの接続点に接続されたサイリスタと、を備えて構成され、前記１次側電解コンデンサ劣化検知回路は前記１次側電解コンデンサの電圧を入力し、前記１次側電解コンデンサ劣化検知回路の劣化検出信号で前記停止信号発生回路が停止信号を発生することによって、前記パルス幅制御回路から前記スイッチング回路への駆動信号の供給が停止されることによりスイッチング電源回路の動作を止めることを特徴とする。
また、その他の手段は、発明を実施するための形態のなかで説明する。
【０００７】
また、かかる構成により、前記１次側電解コンデンサが限度を超して劣化した場合には前記１次側電解コンデンサ劣化検知回路が前記１次側電解コンデンサの劣化を検知して、停止信号発生回路が前記パルス幅制御回路へ停止信号を発生し、前記パルス幅制御回路が前記スイッチング回路への駆動信号の供給を停止することによりスイッチング電源回路の動作を止めて保護する。
【発明の効果】
【０００８】
本発明によれば、簡単な回路を付加するだけで平滑回路の電解コンデンサの劣化を検知して、電解コンデンサの劣化からの破損事故を未然に回避する機能を備えた低コストで省スペースのスイッチング電源装置を提供できる。また、本発明の回路はパルス幅制御回路と一体化して集積回路化することも可能となる。
【図面の簡単な説明】
【０００９】
【図１】本発明の第１実施形態の構成を示す回路図である。
【図２】本発明の第１実施形態におけるパルス幅制御回路がスイッチング回路を駆動するパルス波形と２次側の直流出力電圧との概略の関係を示す特性の模式図である。
【図３】本発明の第１実施形態における１次側電解コンデンサ劣化検知回路の構成を示す回路図である。
【図４】本発明の第１実施形態における２次側電解コンデンサ劣化検知回路の構成を示す回路図である。
【図５】本発明の第１実施形態における停止信号発生回路の構成を示す回路図である。
【図６】本発明の第２実施形態の構成を示す回路図である。
【図７】本発明の第３実施形態の構成を示す回路図である。
【図８】本発明の第１実施形態の１次側整流回路と１次側電解コンデンサとの間に誤検知防止回路を挿入した構成を示す回路図である。
【図９】誤検知防止回路の詳細な構成例を示す回路図である。
【発明を実施するための形態】
【００１０】
以下に、本発明の実施形態について、図面を参照して説明する。
（第１実施形態）
まず、本発明の第１実施形態の回路構成について説明する。
【００１１】
＜回路構成・第１実施形態＞
図１は本発明の保護回路付きスイッチング電源回路の第１実施形態の概略の構成を示す回路図である。
図１において、１次側整流回路１０１はダイオード１２１〜１２４のブリッジ回路構成によって、入力端子１４１、１４２から入力する交流電力（交流電圧Ａ１）を全波整流してリプル（ripple）を含む直流電力を１次側直流端子１４７と１次側アース１４５の間に出力する。１次側電解コンデンサ１０２は１次側直流端子１４７と１次側アース１４５の間に接続されていて、１次側整流回路１０１の出力したリプルを含む直流電力を平滑化する。
なお、１次側整流回路１０１と１次側電解コンデンサ１０２によって１次側整流平滑化回路１０３が構成されている。
【００１２】
トランス１０４は１次巻線Ｎ１と２次巻線Ｎ２と３次巻線Ｎ３を備えている。ここで１次巻線Ｎ１と２次巻線Ｎ２と３次巻線Ｎ３との巻数の比をＮ１：Ｎ２：Ｎ３とする。このとき、１次巻線Ｎ１の両端に加えられた交流電圧は、２次巻線Ｎ２の両端に概ねＮ２／Ｎ１倍の交流電圧として出力される。また、３次巻線Ｎ３の両端には２次巻線Ｎ２の両端の電圧の概ねＮ３／Ｎ２倍の交流電圧が出力される。
なお、１次巻線Ｎ１に関わる回路を１次側回路、２次巻線Ｎ２に関わる回路を２次側回路、３次巻線Ｎ３に関わる回路を３次側回路と、適宜、表記する。
【００１３】
１次巻線Ｎ１の第１端子は、１次側直流端子１４７に接続され、もう一端の第２端子はスイッチング回路１０８を構成するＮ型ＭＯＳＦＥＴ（Metal-Oxide-Semiconductor Field-Effect Transistor）のドレインに接続され、Ｎ型ＭＯＳＦＥＴのソースは抵抗１６２を介して１次側アース１４５に接続されている。
【００１４】
２次巻線Ｎ２の第１端子は、ダイオード１２５のアノードに接続され、ダイオード１２５のカソードは、２次側直流出力端子１４３に接続されている。２次巻線Ｎ２の第２端子はアース側の２次側直流出力端子１４４に接続されている。また、２次側電解コンデンサ１０５は２次側直流出力端子１４３とアース側の２次側直流出力端子１４４の間に接続されている。
【００１５】
ダイオード１２５は２次側整流回路（１２５）を構成していて、２次巻線Ｎ２に誘起される交流電力を整流する。２次側電解コンデンサ１０５はダイオード１２５の出力する整流されたリプルを含む直流電力を平滑化する。ダイオード１２５からなる２次側整流回路（１２５）と２次側電解コンデンサ１０５とによって、２次側整流平滑化回路１０６を構成している。この２次側整流平滑化回路１０６によって、２次側直流出力端子１４３と２次側アース１４６に接続された２次側直流出力端子１４４の間に直流電力（２次側直流出力電圧Ｅ２）を出力している。
【００１６】
また前記したように、２次側直流出力端子１４４は２次側アース１４６に接続されている。１次側アース１４５と２次側アース１４６はともにアースであるが、直流的に絶縁されている。
【００１７】
３次巻線Ｎ３の第１端子は、ダイオード１２６のアノードに接続され、３次巻線Ｎ３の第２端子は１次側アース１４５に接続されている。ダイオード１２６のカソードと１次側アース１４５の間に平滑コンデンサ１２７が接続されている。ダイオード１２６は３次側整流回路１２６を構成していて、３次巻線Ｎ３に誘起される交流電力を整流する。平滑コンデンサ１２７はダイオード１２６の出力する整流されたリプルを含む直流電力を平滑化する。ダイオード１２６からなる３次側整流回路（１２６）と平滑コンデンサ１２７とによって、３次側整流平滑化回路１０７を構成している。３次側整流平滑化回路１０７によって、３次巻線Ｎ３に誘起される交流電力から整流平滑化された直流電力を得ている。
【００１８】
出力誤差検出回路１１０は２次側直流出力端子１４３、１４４の間に出力される直流電圧（２次側直流出力電圧Ｅ２）を抵抗１３１、１３２により分圧してその分圧された電圧とシャントレギュレータに内蔵される基準電圧との誤差（差分）を検出する回路である。出力誤差検出回路１１０は抵抗１３１、１３２、１３３、シャントレギュレータ１３４、また発光ダイオード１３８（LED）とフォトトランジスタ１３９（Photo Transistor）からなるフォトカプラ（Photo Coupler）１３７を備えて構成される。
【００１９】
２次側直流出力電圧Ｅ２を抵抗１３１と抵抗１３２で分圧した電圧はシャントレギュレータ１３４のＲＥＦ端子１３５に入力されている。シャントレギュレータ１３４のアノードは２次側アース１４６に接続され、シャントレギュレータ１３４のカソードは発光ダイオード１３８のカソードに接続されている。発光ダイオード１３８のアノードは抵抗１３３の第１端子に接続され、抵抗１３３の第２端子は２次側直流出力端子１４３に接続されている。
【００２０】
また、発光ダイオード１３８は、発光した光の出力をフォトトランジスタ１３９のベースに入力している。フォトトランジスタ１３９のエミッタは１次側アース１４５に接続され、コレクタは出力誤差検出回路１１０の出力端子となっている。
なお、発光ダイオード１３８とフォトトランジスタ１３９からなるフォトカプラ１３７を用いるのは、１次側アース１４５と２次側アース１４６を直流的に絶縁する必要があって、それぞれのアースで使用している回路間は、直接電気信号で受け渡しできないので、光信号に変換して受け渡しするためである。
【００２１】
以上の構成において、２次側直流出力電圧Ｅ２が、基準電圧の（Ｒ１＋Ｒ２）／Ｒ２倍の電圧と比較して高いか低いかを判定している。
２次側直流出力電圧Ｅ２が高い場合には、シャントレギュレータ１３４はオン（ＯＮ）して発光ダイオード１３８に電流が流れ、発光ダイオード１３８が発光して光信号を出力し、フォトトランジスタ１３９はそれを受光（ＯＮ状態）する。
【００２２】
また、２次側直流出力電圧Ｅ２が低い場合には、シャントレギュレータ１３４はオフ（ＯＦＦ）して発光ダイオード１３８に電流が流れない。したがって、発光ダイオード１３８が発光しないのでフォトトランジスタ１３９はオフ（ＯＦＦ状態）する。
【００２３】
以上のフォトトランジスタ１３９のオンオフ（ＯＮ・ＯＦＦ）の検出信号が、フォトトランジスタ１３９のコレクタ、つまり出力誤差検出回路１１０の出力端子からパルス幅制御回路（ＰＷＭ）１０９の制御用の入力端子１５４に送られる。
なお、出力誤差検出回路を用いたのは２次側直流出力電圧Ｅ２の安定化のためであって、後記する２次側電解コンデンサ１０５の劣化を検知するために用いている訳ではない。
【００２４】
パルス幅制御回路１０９の電源は、スイッチング電源回路の起動時には抵抗１６０を経由して１５２から供給されるが、電源起動後には３次側整流平滑化回路１０７の出力を経由して１５２から供給される。また、パルス幅制御回路１０９の出力端子１５１はスイッチング回路１０８であるＮ型ＭＯＳＦＥＴのゲート（ゲート入力端子）に接続されていて、Ｎ型ＭＯＳＦＥＴのオンオフを制御している。
なお、パルス幅制御回路１０９の出力端子１５１から出力される駆動信号波形のパルス幅は可変するように制御されている。
以上の構成により、既存のスイッチング電源回路は基本的に構成されている。
【００２５】
図１において、１次側電解コンデンサ劣化検知回路１１１、２次側電解コンデンサ劣化検知回路１１２、停止信号発生回路１１３は本実施形態の特徴である保護機能に関する回路であるが、スイッチング電源回路としての基本的機能には直接的には関与していないので後記する。次にまず、既存のスイッチング電源回路の基本的な動作について先に述べる。
【００２６】
＜スイッチング電源回路の概略の動作・第１実施形態＞
前記したように、１次側整流平滑化回路１０３により交流電力から整流平滑化された直流電力はトランス１０４の１次巻線Ｎ１とスイッチング回路１０８であるＮ型ＭＯＳＦＥＴの直列回路の両端に加えられる。Ｎ型ＭＯＳＦＥＴのゲートは抵抗１６１を経由して、パルス幅制御回路１０９の出力端子１５１に接続され、オンオフ制御されている。
【００２７】
したがって、パルス幅制御回路１０９の出力する駆動信号によって、トランス１０４の１次巻線Ｎ１には電流が流れたり流れなくなったりする。これは１次側電解コンデンサに蓄積されている直流電力から断続的に電流が流れたり流れなくなったりするので、直流から交流を生成していることに相当する。生成された交流成分はトランス１０４の１次巻線Ｎ１から２次巻線Ｎ２へ誘起され伝播する。このトランス１０４の２次側に誘起された交流電力を２次側整流平滑化回路１０６で再び直流電力に変換し、２次側直流出力端子１４３、１４４の間に２次側直流出力電圧Ｅ２の直流電力を生成する。
【００２８】
この２次側直流出力電圧Ｅ２は、出力誤差検出回路１１０のシャントレギュレータ１３４に内蔵される基準電圧と分圧抵抗Ｒ１、Ｒ２によって分圧された電圧より高いか低いかを比較し、その結果を出力誤差検出回路１１０の出力信号として、パルス幅制御回路１０９に送り、前記したようにパルス幅制御回路１０９は出力誤差検出回路１１０の出力信号を反映してパルス幅を変化させ、スイッチング回路１０８のオンオフ時間を制御することにより、２次側直流出力電圧Ｅ２を調整して、設定された電圧に保つ。
【００２９】
図２はスイッチング回路１０８のオンオフによるトランス１０４の１次巻線Ｎ１に電流が流れたり流れなくなったりした結果、２次側直流出力電圧Ｅ２の変化する様子を示した概略の特性の模式図である。なお、変化する様子を示したものであって、２次側直流出力電圧Ｅ２の値や制御信号の波形は必ずしも実態に対応するものではない。
【００３０】
図２において、（ｂ）はオンオフする制御波形２１２がＨｉｇｈの区間２１２ＨとＬｏｗの区間２１２Ｌが等しい場合であって、このとき２次側直流出力電圧Ｅ２の平均的な値は平均値２１０である。
図２において、（ａ）はオンオフする制御波形２１１がＨｉｇｈの区間２１１ＨがＬｏｗの区間２１１Ｌより長い場合であって、このとき２次側直流出力電圧Ｅ２の平均的な値は平均値２２１となり、前記したＨｉｇｈの区間２１２ＨとＬｏｗの区間２１２Ｌが等しい場合の平均値２１０よりも高くなる。
図２において、（ｃ）はオンオフする制御波形２１３がＨｉｇｈの区間２１３ＨがＬｏｗの区間２１３Ｌより短い場合であって、このとき２次側直流出力電圧Ｅ２の平均的な値は平均値２２３となり、前記したＨｉｇｈの区間２１２ＨとＬｏｗの区間２１２Ｌが等しい場合の平均値２１０よりも低くなる。
【００３１】
このように、スイッチング回路１０８のオンオフによるトランス１０４の１次巻線Ｎ１に電流が流れる時間（パルス幅）を制御することによって、２次側直流出力電圧Ｅ２が変わる。
以上のように制御することによって、既存のスイッチング電源装置は、設定された電圧に２次側直流出力電圧Ｅ２を保っている。
【００３２】
＜スイッチング電源回路の保護回路・第１実施形態＞
次に、スイッチング電源回路の保護回路について述べる。まず、保護回路が必要となる原因であるスイッチング電源回路に用いる電解コンデンサについて述べる。
【００３３】
≪電解コンデンサについて、第１実施形態≫
スイッチング電源回路（装置）は、前記したように、１次側整流平滑化回路１０３と２次側整流平滑化回路１０６に平滑用コンデンサとしてそれぞれ１次側電解コンデンサ１０２と２次側電解コンデンサ１０５が搭載されている。これらの電解コンデンサは劣化が進むと等価直列抵抗（ＥＳＲ：Equivalent Series Resistance）の増大と、静電容量の低下が起こる。
【００３４】
電解コンデンサにおいて、等価直列抵抗（Ｒ）の増大が起こり、かつ電流（ｉ）を流すとジュール熱（ｉ２Ｒ）により電解コンデンサ自身が高熱となることや、内部圧力の上昇により爆発することがある。
また、電解コンデンサにおける静電容量の低下はスイッチング電源回路（装置）の出力特性の低下や、他部品の異常発熱を引き起こすこともある。
したがって、前記したように、電解コンデンサの劣化が限度に達した場合は、その劣化を検知して対策をとる必要がある。
【００３５】
≪保護回路の概要・第１実施形態≫
以上により、図１において、１次側電解コンデンサ１０２の劣化を検知する１次側電解コンデンサ劣化検知回路（Ｄｅｔ１）１１１と２次側電解コンデンサ１０５の劣化を検知する２次側電解コンデンサ劣化検知回路（Ｄｅｔ２）１１２が備えられている。
また、停止信号発生回路１１３は、１次側電解コンデンサ劣化検知回路１１１もしくは２次側電解コンデンサ劣化検知回路１１２の劣化検知信号により、前記停止信号発生回路１１３の出力がスイッチング回路１０８のＮ型ＭＯＳＦＥＴのゲートに入力されることによってパルス幅制御回路１０９から出力される駆動信号が禁止され、スイッチング電源回路の動作を停止する。
【００３６】
これによって、１次側電解コンデンサ１０２と２次側電解コンデンサ１０５に流れるリプル電流を少なくする。以上によって、１次側電解コンデンサ１０２もしくは２次側電解コンデンサ１０５自身の発熱や爆発、及びその周辺部品への影響を未然に防止する。
【００３７】
≪１次側電解コンデンサ劣化検知回路・第１実施形態≫
次に、１次側電解コンデンサ劣化検知回路１１１の具体的な回路構成について述べる。
図３は１次側電解コンデンサ劣化検知回路１１１の構成を示す回路図である。
図３において、コンデンサ３１０の第１端子は、１次側電解コンデンサ劣化検知回路１１１としての入力端子３２１に接続されている。コンデンサ３１０の第２端子と抵抗（Ｒ１１）３１１の第１端子が接続されている。抵抗３１１の第２端子と１次側アース１４５の間に抵抗（Ｒ１２）３１２が接続されている。ダイオード３１３のアノードは１次側アース１４５に接続され、カソードは抵抗３１１の第２端子に接続されている。ツェナーダイオード（Zener diode）３１４のカソードは抵抗３１１の第２端子に接続されている。ツェナーダイオード３１４のアノードは、１次側電解コンデンサ劣化検知回路１１１としての出力端子３２２に接続されている。
【００３８】
コンデンサ３１０によって直流分をカットし、抵抗３１１、抵抗３１２によって電圧を適正な値に分圧し、入力端子３２１から入力する信号のリプル（交流成分）を分割点３２３において検出する。
また、ダイオード３１３により信号のマイナス成分を除去し、プラス成分のみを取り出す。
また、ツェナーダイオード３１４は前述のように検出した信号のリプルが一定の電圧（ツェナー電圧、降伏電圧）を超した場合にオン（ＯＮ、アバランシェ降伏）して１次側電解コンデンサ劣化検知回路１１１としての出力端子３２２からトリガー信号を停止信号発生回路１１３（図１）に出力する。
【００３９】
なお、１次側電解コンデンサ劣化検知回路１１１としての入力端子３２１には１次側直流端子１４７に接続されていて、１次側電解コンデンサ１０２のリプル電圧から１次側電解コンデンサ１０２の劣化の状態を検知している。これは１次側電解コンデンサ１０２が劣化して等価直列抵抗の増大や静電容量の減少が発生すると１次側直流端子１４７にてリプル電圧が大きくなるからである。
【００４０】
また、抵抗（Ｒ１１）３１１、抵抗（Ｒ１２）３１２の抵抗比（Ｒ１１／Ｒ１２）を変えることにより、分割点３２３の電圧（電位）を変えて、ツェナーダイオード３１４に加わる電圧が調整できる。ツェナーダイオード３１４のツェナー電圧特性の選択は制約があるので、ツェナーダイオード３１４を選択した後に、このツェナーダイオード３１４の特性に適切な電圧が加わるように前記の抵抗比（Ｒ１１／Ｒ１２）を調整すればよい。
【００４１】
≪２次側電解コンデンサ劣化検知回路・第１実施形態≫
次に、２次側電解コンデンサ劣化検知回路１１２の具体的な回路構成について述べる。
図４は２次側電解コンデンサ劣化検知回路１１２の回路図であり、ツェナーダイオード４１４から構成されている。ツェナーダイオード４１４のカソードは、２次側電解コンデンサ劣化検知回路１１２の入力端子４２１に接続されていて、また、この入力端子４２１は３次側整流平滑化回路１０７の出力端子１５２に接続されている。また、ツェナーダイオード４１４のアノードは、２次側電解コンデンサ劣化検知回路１１２の出力端子４２２に接続されている。
【００４２】
３次側整流平滑化回路１０７はトランス１０４の３次巻線Ｎ３の誘起する交流電力を入力しており、３次巻線Ｎ３は２次巻線Ｎ２の交流電力から誘起されている。したがって、２次側電解コンデンサ１０５が劣化して等価直列抵抗が増大すると、２次側電解コンデンサ１０５の両端に発生する電圧も増大し、２次巻線Ｎ２から３次巻線Ｎ３に伝播され、３次側整流平滑化回路１０７の出力も電圧が高くなる。この電圧が２次側電解コンデンサ１０５の劣化にともない増大し、所定の電圧を超した場合にツェナーダイオード４１４はオンして、２次側電解コンデンサ劣化検知回路１１２としての出力端子４２２からトリガー信号を停止信号発生回路１１３（図１）に出力する。
【００４３】
なお、２次側電解コンデンサ劣化検知回路１１２が１次側電解コンデンサ劣化検知回路１１１と比較して、素子数の少ない簡単な回路である主な理由は、トランスの特性を利用しているからである。
これは、３次側整流平滑化回路１０７の出力で２次側電解コンデンサ１０５の劣化を検知する場合の大きな長所であり、コストと設置スペースの低減につながる理由でもある。
【００４４】
なお、２次側電解コンデンサ１０５の劣化を検知するにあたって、引用文献１にみられるようなトランジスタを用いたリプル電圧検出回路やフォトカプラを用いていないので、より低コスト化および省スペース化が図れる。
【００４５】
≪停止信号発生回路・第１実施形態≫
次に、停止信号発生回路１１３の具体的な回路構成について述べる。図５は停止信号発生回路１１３の構成を示す回路図である。
図５において、サイリスタ（Thyristor）５０１のカソードは１次側アース１４５に接続され、アノードとゲートはそれぞれ停止信号発生回路１１３の出力端子５３２と入力端子５３１に接続されている。
抵抗５１１は停止信号発生回路１１３の入力端子５３１と１次側アース１４５の間に接続されている。
なお、回路の安定動作（ノイズによる誤動作防止）のために、コンデンサ５１２を停止信号発生回路１１３の入力端子５３１と１次側アース１４５の間に接続する場合もある。
【００４６】
抵抗５１１は入力端子５３１のバイアス電圧を設定している。
停止信号発生回路１１３の入力端子５３１は、１次側電解コンデンサ劣化検知回路１１１の出力端子３２２と２次側電解コンデンサ劣化検知回路１１２の出力端子４２２とに接続されている。そのため１次側電解コンデンサ劣化検知回路１１１、または２次側電解コンデンサ劣化検知回路１１２から劣化検知信号であるトリガー信号があると、サイリスタ５０１がオンする。その結果、停止信号発生回路１１３の出力端子５３２は概ね１次側アース１４５と同電位となる。
【００４７】
停止信号発生回路１１３の出力端子５３２は、図１におけるスイッチング回路１０８であるＮ型ＭＯＳＦＥＴのゲートに接続されている。トリガー信号により出力端子５３２が概ね１次側アース１４５と同電位となると、Ｎ型ＭＯＳＦＥＴのゲートを１次側アース１４５の電位に固定して、Ｎ型ＭＯＳＦＥＴをオフ状態にする。Ｎ型ＭＯＳＦＥＴがオフ状態になることによって、１次巻線Ｎ１には電流が流れなくなり、２次巻線Ｎ２にも電流が流れなくなる。つまり、スイッチング電源回路は動作を停止する。
【００４８】
≪保護回路の動作・第１実施形態≫
以上において、個々の回路構成と、部分的な動作について述べたが全体としての動作の概略を、前記した内容と一部重複するが、以下に述べる。
スイッチング電源装置は、１次側回路、２次側回路にそれぞれ平滑用コンデンサである１次側電解コンデンサ１０２と２次側電解コンデンサ１０５が搭載されている。
１次側電解コンデンサ１０２の劣化を検知する手段として、１次側電解コンデンサ劣化検知回路１１１があり、また２次側電解コンデンサ１０５の劣化を検知する手段として、２次側電解コンデンサ劣化検知回路１１２がある。
【００４９】
１次側電解コンデンサ１０２が劣化すると静電容量の減少や等価直列抵抗（ＥＳＲ）の増大が発生し、結果として、１次側電解コンデンサ１０２にかかるリプル電圧が増大する。また、２次側電解コンデンサ１０５が劣化すると、静電容量の減少や等価直列抵抗（ＥＳＲ）の増大が発生し、結果として、２次側電解コンデンサ１０５の両端にかかる電圧が増大する。そこで、そのリプル電圧や端子電圧がある設定電圧を超過したことを、１次側電解コンデンサ劣化検知回路１１１もしくは２次側電解コンデンサ劣化検知回路１１２で検知し、トリガー信号を停止信号発生回路１１３に送る。停止信号発生回路１１３は前記トリガー信号を受けて、パルス幅制御回路１０９の出力端子１５１からの駆動信号を禁止、つまりスイッチング回路１０８であるＮ型ＭＯＳＦＥＴのゲートを概ね１次側アース１４５と同電位とする。
【００５０】
これによりスイッチング回路１０８のスイッチング動作が停止し、スイッチング電源回路（装置）の動作が停止する、とともに出力も停止する。スイッチング電源回路の動作が停止するので１次側電解コンデンサ１０２と２次側電解コンデンサ１０５には電流が流れなくなり、ジュール熱の発生が止まり、したがって、電解コンデンサの発熱と内部圧力の上昇が回避されることと他の部品の異常発熱も回避されることで、スイッチング電源回路は保護される。
【００５１】
≪第１実施形態の補足≫
なお、図１において、スイッチング電源回路には前記したように、出力誤差検出回路１１０が備えられていて、２次側直流出力電圧Ｅ２は設定された電圧を保つように制御されている。したがって、１次側電解コンデンサ１０２もしくは２次側電解コンデンサ１０５の若干の劣化や、交流電源の入力電圧Ａ１の変動、直流負荷の変動、またはその他の要素の変化、変動があったとしても２次側直流出力電圧Ｅ２は所定の電圧を保っている。
ただし、１次側電解コンデンサ１０２もしくは２次側電解コンデンサ１０５が限度を超えて劣化を起こすと、１次側電解コンデンサ劣化検知回路１１１もしくは２次側電解コンデンサ劣化検知回路１１２が異常を検知する。
【００５２】
（第２実施形態）
次に、本発明の第２実施形態について述べる。
＜回路構成・第２実施形態＞
図６に本発明の第２実施形態の概略の回路構成を示す。
図６の回路構成は、第１実施形態の回路構成を示した図１を基にしているので、ほぼ同一の回路である。異なる点は停止信号発生回路１１３の出力信号が、図１ではスイッチング回路１０８のＮ型ＭＯＳＦＥＴのゲートに接続されているのに対し、図６ではパルス幅制御回路１０９の電源端子である３次側整流平滑化回路１０７の出力端子１５２に接続されていることである。
他の回路構成は図６と図１は同一であるので説明は省略する。
【００５３】
＜回路動作・第２実施形態＞
図６において、１次側電解コンデンサ劣化検知回路１１１もしくは２次側電解コンデンサ劣化検知回路１１２が、１次側電解コンデンサ１０２もしくは２次側電解コンデンサ１０５の劣化を検知して、停止信号発生回路１１３の出力信号が概ね１次側アース１４５と同電位となると、パルス幅制御回路１０９の電源端子である３次側整流平滑化回路１０７の出力端子１５２も概ね１次側アース１４５と同電位となる。するとパルス幅制御回路１０９は電源が事実上、供給されなくなるので動作を停止し、出力端子１５１からスイッチング回路１０８であるＮ型ＭＯＳＦＥＴのゲートへの駆動信号の供給を止める。この結果、スイッチング電源回路の動作が停止するので１次側電解コンデンサ１０２と２次側電解コンデンサ１０５には電流が流れなくなり、ジュール熱の発生が止まり、したがって、電解コンデンサの発熱と内部圧力の上昇が回避されることと他の部品の異常発熱も回避されることでスイッチング電源回路は保護される。
【００５４】
（第３実施形態）
次に、本発明の第３実施形態について述べる。
＜回路構成・第３実施形態＞
図７に本発明の第３実施形態の概略の回路構成を示す。
図７の回路構成は、第１実施形態の回路構成を示した図１を基にしているので、ほぼ同一の回路である。異なる点は停止信号発生回路１１３の出力信号が、図１ではスイッチング回路１０８のＮ型ＭＯＳＦＥＴのゲートに接続されているのに対し、図７ではパルス幅制御回路１０９の出力信号の供給を制御する制御端子１５３に接続されていることである。
他の回路構成は図７と図１は同一であるので説明は省略する。
【００５５】
＜回路動作・第３実施形態＞
図７において、１次側電解コンデンサ劣化検知回路１１１もしくは２次側電解コンデンサ劣化検知回路１１２が、１次側電解コンデンサ１０２もしくは２次側電解コンデンサ１０５の劣化を検知して、停止信号発生回路１１３の出力信号が概ね１次側アース１４５と同電位となると、パルス幅制御回路１０９の制御端子１５３は概ね１次側アース１４５と同電位となる。するとパルス幅制御回路１０９は、出力端子１５１からの駆動信号の供給を停止する。
【００５６】
この結果、スイッチング回路１０８であるＮ型ＭＯＳＦＥＴのゲートには駆動信号の供給が停止され、概ね１次側アース１４５の電位に固定される。すると、スイッチング電源回路の動作が停止するので、１次側電解コンデンサ１０２と２次側電解コンデンサ１０５には電流が流れなくなり、ジュール熱の発生が止まり、したがって、電解コンデンサの発熱と内部圧力の上昇が回避されることと他の部品の異常発熱も回避されることでスイッチング電源回路は保護される。
【００５７】
（その他の実施形態）
図３において、１次側電解コンデンサ劣化検知回路１１１が抵抗３１１と抵抗３１２を備えた回路を示したが、１次側回路の直流電圧の設定によっては、どちらか一方の抵抗、もしくは両方の抵抗を削除することが可能となる場合もある。
【００５８】
また、図３、図４、図５において、それぞれ１次側電解コンデンサ劣化検知回路１１１、２次側電解コンデンサ劣化検知回路１１２、停止信号発生回路１１３の回路例を示したが、これらの回路は一例にすぎない。同様の機能を持つ別の回路構成を用いてもよい。
また、これらの回路（１１１、１１２、１１３）をパルス幅制御回路１０９と一体化して集積回路化することで、全体として、占有面積（体積）、回路素子数をコンパクト化してもよい。
【００５９】
また、図１において、スイッチング回路１０８はＮ型ＭＯＳＦＥＴを用いた例を示したが、パルス幅制御回路１０９の出力端子１５１から出力される駆動信号波形の極性を変えれば、Ｐ型ＭＯＳＦＥＴを用いてもよい。
また、ＭＯＳＦＥＴに限定されず、例えばＩＧＢＴ（Insulated Gate Bipolar Transistor、絶縁ゲートバイポーラトランジスタ）を用いてもよい。
【００６０】
また、１次側電解コンデンサ１０２、２次側電解コンデンサ１０５に温度ヒューズを密着させ、電解コンデンサの劣化にともなう温度上昇を温度ヒューズで検知し、温度ヒューズがオフすることによって、パルス幅制御回路１０９の駆動信号を停止し、スイッチング電源回路（装置）を保護してもよい。
【００６１】
また、電源投入時の１次側電解コンデンサ劣化検知回路１１１による１次側電解コンデンサ１０２の劣化の誤検出を防止する誤検知防止回路８０１（図８）を１次側整流回路１０１と１次側電解コンデンサ１０２との間に挿入してもよい。
前述したように１次側電解コンデンサ劣化検知回路１１１は、１次側電解コンデンサ１０２の両端に発生するリプル電圧が所定の基準電圧以上となったときに、１次側電解コンデンサ１０２が劣化したと判定して、パルス幅制御回路１０９によるスイッチング回路１０８の動作を停止する。しかしながら、検出したいリプル電圧の周波数と、電源投入時の１次側電解コンデンサ１０２の端子電圧の立ち上がり時間（の逆数）を周波数に換算した値とは近似しており、電源投入時のタイミングによっては、１次側電解コンデンサ劣化検知回路１１１が誤検知してスイッチング回路１０８の動作を止めてしまう可能性がある。したがって、スイッチング電源回路が正常に動作しない可能性がある。
誤検知防止回路８０１は、この電源投入時の誤検知を防止するものである。
次に、この誤検知防止回路８０１を図８と図９とを参照して説明する。
【００６２】
≪誤検知防止回路≫
図８は、本発明の第１実施形態の１次側整流回路１０１と１次側電解コンデンサ１０２との間に誤検知防止回路８０１を挿入した構成を示す回路図である。
図９は、誤検知防止回路８０１の詳細な構成例を示す回路図である。
図９において、抵抗（第１抵抗）８２１は、１次側整流回路１０１のダイオード１２３（図８）とダイオード１２４（図８）のそれぞれのカソードの接続点である第１直流出力端子（以下、第１直流出力端子と称す）と、１次側直流端子１４７との間に接続されている。抵抗（第２抵抗）８２２の一端は１次側整流回路１０１の第１直流出力端子に接続され、他端はコンデンサ８３１の一端に接続されている。コンデンサ８３１の他端は１次側アース１４５に接続されている。抵抗（第３抵抗）８２３はコンデンサ８３１に並列に接続されている。
なお、１次側整流回路１０１のダイオード１２１（図８）とダイオード１２２（図８）のそれぞれのアノードの接続点である第２直流出力端子（以下、第２直流出力端子と称す）は、１次側アース１４５に接続されている。
【００６３】
サイリスタ８１１のアノードは、１次側整流回路１０１の第１直流出力端子に接続され、カソードは１次側直流端子１４７に接続されている。また、サイリスタ８１１のゲートは、直列に接続された抵抗８２２とコンデンサ８３１との接続点に接続されている。
また、１次側電解コンデンサ１０２は図８、図９にも示したように、１次側直流端子１４７と１次側アース１４５との間に接続されている。なお、１次側アース１４５は１次側整流回路１０１の第２直流出力端子に接続されている。
また、図９において１次側整流回路１０１は、図８における１次側整流回路１０１のダイオードブリッジを簡略化して表記している。
【００６４】
前記したように、１次側整流回路１０１の第１直流出力端子と１次側電解コンデンサ１０２との間には、電源投入直後の立ち上がり時間をゆっくりとするために抵抗８２１が直列に挿入されている。
電源投入直後において、１次側電解コンデンサ１０２の両端の電圧は、抵抗８２１と１次側電解コンデンサ１０２との電流経路によって上昇し、抵抗８２１と１次側電解コンデンサ１０２によって定まる時定数により、立ち上がる。なお、この時定数は、１次側電解コンデンサ１０２が劣化したときに両端に発生するリプル電圧の周波数の逆数よりも充分に大きな値に設定する。
また、電源投入直後において、サイリスタ８１１のゲート電圧も、抵抗８２２と抵抗８２３とコンデンサ８３１とによって定まる時定数によってゆっくりと立ち上がる。電源投入直後は、コンデンサ８３１には電荷がほとんど蓄積されていないので等価インピーダンスは抵抗８２３より充分に小さく、電流経路としては、抵抗８２３よりもコンデンサ８３１が支配的であるため、サイリスタ８１１のゲート電圧は０（１次側アース１４５の電位）から抵抗８２２とコンデンサ８３１とによって定まる時定数でゆっくりと立ち上がる。したがって、電源投入直後、サイリスタ８１１はオフしている。
【００６５】
電源投入後から、抵抗８２１とコンデンサ１０２とによって定まる時定数に比較して充分に時間が経過すると、１次側電解コンデンサ１０２の両端の電圧は、スイッチング電源回路を動作させるには充分な電圧に達する。しかしながら、抵抗８２１が１次側整流回路１０１と１次側電解コンデンサ１０２との間に存在しているので、スイッチング電源回路を動作させる電流を充分に流すには障害となる、もしくは大きなエネルギー損失源となる。
電源投入後から、コンデンサ８３１に電荷が蓄積されるにつれ、コンデンサ８３１の等価インピーダンスが増加し、サイリスタ８１１のゲート電圧は抵抗８２２と抵抗８２３とコンデンサ８３１とによって定まる時定数で上昇して、やがてトリガー電圧に達するとサイリスタ８１１はオンする。
オンしたサイリスタ８１１の内部抵抗の抵抗値は、抵抗８２１の抵抗値に比較して非常に小さく、かつ抵抗８２１に並列に接続されているので、１次側整流回路１０１から１次側電解コンデンサ１０２あるいは１次側直流端子１４７に流れる電流は、サイリスタ８１１を経由するようになる。
【００６６】
また、オンしたサイリスタ８１１の内部抵抗は充分に小さいので、誤検知防止回路８０１を備えたことによるエネルギー損失は非常に小さい。
また、コンデンサ８３１に電荷が充分に蓄積されると、等価インピーダンスが高くなりすぎてサイリスタ８１１のゲート電圧が不安定となりかねないことと、電源を遮断したときにコンデンサ８３１に蓄積された電荷を除くために、抵抗８２３をコンデンサ８３１に並列に接続している。なお、コンデンサ８３１に電荷が充分に蓄積された場合においては、サイリスタ８１１のゲート電圧は、１次側整流回路１０１の第１直流出力端子と直流出力端子間の電圧が抵抗８２２と抵抗８２３によって分圧された電圧となる。
以上の構成の誤検知防止回路８０１を備えることにより、電源投入時の１次側電解コンデンサ劣化検知回路１１１の誤検知によるスイッチング電源回路の誤動作を防止できる
【００６７】
なお、図９に示した誤検知防止回路８０１は、回路構成の一例にすぎない。
例えば、抵抗８２３を除いてもほぼ同様の回路動作をする。
また、サイリスタ８１１の代わりにＭＯＳＦＥＴ（Metal Oxide Semiconductor Field Effect Transistor）やＩＧＢＴ（Insulated Gate Bipolar Transistor）を用いて構成してもよい。
また、図８に示した回路構成は、図１の第１実施形態に対して、誤検知防止回路８０１を挿入したものであるが、図６の第２実施形態や図７の第３実施形態に対しても、誤検知防止回路８０１を同様に挿入しても、同じような効果がある。
【００６８】
（本願発明、実施形態の補足）
以上、本実施形態の保護機能付きスイッチング電源回路は、１次側回路と２次側回路における平滑回路の電解コンデンサの劣化を検知し、自動的にスイッチング電源回路の動作を停止することにより、電解コンデンサの劣化からの破損事故を未然に回避する機能を備えている。
とりわけ、２次側電解コンデンサ１０５の劣化を３次側整流平滑化回路１０７の出力電圧からツェナーダイオード４１４によって検知する方法と回路により、２次側電解コンデンサ劣化検知回路、および回路構成は先行技術文献に挙げた開示技術と比較して、大幅に削減でき、回路素子数と素子、配線の占有面積（体積）のコンパクト化ができて、コストも低減できるという大きな効果がある。
また、本実施形態の前記した方法と回路は、既存のスイッチング電源回路を変更すること無しに簡単な回路素子を付加するだけで実現するという特徴がある。
【符号の説明】
【００６９】
１０１  １次側整流回路
１０２  １次側電解コンデンサ
１０３  １次側整流平滑化回路
１０４  トランス
１０５  ２次側電解コンデンサ
１０６  ２次側整流平滑化回路
１０７  ３次側整流平滑化回路
１０８  スイッチング回路
１０９  パルス幅制御回路（ＰＷＭ）
１１０  出力誤差検出回路
１１１  １次側電解コンデンサ劣化検知回路（Ｄｅｔ１）
１１２  ２次側電解コンデンサ劣化検知回路（Ｄｅｔ２）
１１３  停止信号発生回路
１２１、１２２、１２３、１２４  ダイオード
１２５  ダイオード、２次側整流回路
１２６  ダイオード、３次側整流回路
１２７  平滑コンデンサ
１３１  抵抗（Ｒ１）
１３２  抵抗（Ｒ２）
１３３、１６０、１６１、１６２、５１１  抵抗
１３４  シャントレギュレータ
１３５  シャントレギュレータＲＥＦ端子
１３７  フォトカプラ
１３８  発光ダイオード
１３９  フォトトランジスタ
１４１、１４２  交流電源端子
１４３、１４４  ２次側直流出力端子
１４５  １次側アース
１４６  ２次側アース
１４７  １次側直流端子
１５１  出力端子
１５２  ３次側整流平滑化回路の出力端子
１５３  制御端子
１５４  制御用の入力端子
３１０、５１２、８３１  コンデンサ
３１１  抵抗（Ｒ１１）
３１２  抵抗（Ｒ１２）
３１３  ダイオード
３１４、４１４  ツェナーダイオード
３２１、４２１、５３１  入力端子
３２２、４２２、５３２  出力端子
３２３  分割点
５０１、８１１  サイリスタ
８０１  誤検知防止回路
８２１  抵抗（第１抵抗）
８２２  抵抗（第２抵抗）
８２３  抵抗（第３抵抗）
Ａ１  交流電圧、入力電圧
Ｅ２  ２次側直流出力電圧
Ｎ１  １次巻線、１次巻線数
Ｎ２  ２次巻線、２次巻線数
Ｎ３  ３次巻線、３次巻線数
【図１】
0005617000.tif 000002
【図２】
0005617000.tif 000003
【図３】
0005617000.tif 000004
【図４】
0005617000.tif 000005
【図５】
0005617000.tif 000006
【図６】
0005617000.tif 000007
【図７】
0005617000.tif 000008
【図８】
0005617000.tif 000009
【図９】
0005617000.tif 000010